(57)【要約】【課題】架橋筒内におけるケーブルの位置を非接触で測定することができ、しかもメンテナンスが容易な架橋筒内のケーブル位置測定方法及びそのケーブル位置測定装置を提供する。【解決手段】架橋筒１０１内を通過するケーブルにレーザ１０２を照射して架橋筒１０１内におけるケーブルの位置を非接触で測定する架橋筒内のケーブル位置測定方法である。架橋筒１０１に取り付けられた覗き窓１０３と、覗き窓１０３を通じて架橋筒１０１内を通過するケーブルにレーザ１０２を照射して架橋筒１０１内におけるケーブルの位置を非接触で測定するレーザ測定器１０４と、を備える架橋筒内のケーブル位置測定装置である。【選択図】図１
2015115160.tif 000002
【特許請求の範囲】
【請求項１】
架橋筒内を通過するケーブルにレーザを照射して前記架橋筒内における前記ケーブルの位置を非接触で測定することを特徴とする架橋筒内のケーブル位置測定方法。
【請求項２】
前記レーザを照射するレーザ測定器と前記ケーブルとの間の距離を測定して前記架橋筒内における前記ケーブルの位置を非接触で測定する請求項１に記載の架橋筒内のケーブル位置測定方法。
【請求項３】
架橋筒に取り付けられた覗き窓と、
前記覗き窓を通じて前記架橋筒内を通過するケーブルにレーザを照射して前記架橋筒内における前記ケーブルの位置を非接触で測定するレーザ測定器と、
を備えることを特徴とする架橋筒内のケーブル位置測定装置。
【請求項４】
前記レーザ測定器は、前記レーザ測定器と前記ケーブルとの間の距離を測定して前記架橋筒内における前記ケーブルの位置を非接触で測定する請求項３に記載の架橋筒内のケーブル位置測定装置。
【発明の詳細な説明】
【技術分野】
【０００１】
本発明は、架橋筒内のケーブル位置測定方法及びそのケーブル位置測定装置に関する。
【背景技術】
【０００２】
連続架橋方式により樹脂層を架橋する際には、例えば、図５に示すように、高所に配置されたミータリングキャプスタン５０１から導体を送り出し、押出機５０２で導体の周囲に樹脂層を押出被覆し、架橋筒５０３で樹脂層を架橋した後、低所に配置されたテンショニングキャプスタン５０４でケーブルを引き取ることにより、連続的に樹脂層の架橋を実施している。
【０００３】
架橋筒５０３では、樹脂層が、蒸気や窒素等の加熱された不活性ガスで満たされた架橋筒５０３の上流側で加熱されて架橋された後、加圧された水で満たされた架橋筒５０３の下流側で冷却される。
【０００４】
このとき、樹脂層の架橋が未完である架橋筒５０３の上流側において、ケーブルが架橋筒５０３の内面に接触すると、樹脂層が損傷を受ける虞があることから、架橋筒５０３の途中に配置されたポジショニングセンサ５０５により架橋筒５０３内におけるケーブルの位置を測定し、そのケーブルの位置に基づいてテンショニングキャプスタン５０４によるケーブルの引取速度を調整してケーブルの張力を適切に維持することにより、樹脂層の架橋が未完の状態でケーブルが架橋筒５０３の内面に接触することを防止している。
【０００５】
例えば、測定したケーブルの位置が設定値よりも上方にある場合には、樹脂層の架橋が未完の状態でケーブルが架橋筒５０３の上部に接触する可能性があり、測定したケーブルの位置が設定値よりも下方にある場合には、樹脂層の架橋が未完の状態でケーブルが架橋筒５０３の底部に接触する可能性がある。
【０００６】
従来、ポジショニングセンサ５０５としては、図６及び図７に示すように、点検用カバー６０１を取り外すことにより点検可能な位置に取り付けられると共にケーブル進行方向に対して直交する方向に延在するように回転自在に支持されたシャフト６０２と、シャフト６０２の回転角度を検出する回転角度検出器６０３と、シャフト６０２に一体的に取り付けられると共に架橋筒５０３内を通過するケーブルに常に接触するように垂下して支持されたアーム６０４と、を備えるケーブル位置測定装置６００が知られている。
【０００７】
このケーブル位置測定装置６００では、ケーブルの上下動によりアーム６０４を介して回転されるシャフト６０２の回転角度に基づいて、架橋筒５０３内におけるケーブルの上下位置を測定し、そのケーブルの上下位置をテンショニングキャプスタン５０４にフィードバックしている。
【０００８】
また、その他のポジショニングセンサ５０５としては、図８に示すように、複数に分割された架橋筒５０３のうちのある分割体８０１の周囲に巻き回されると共に磁界を発生させるコイル８０２と、他の分割体８０３に取り付けられると共にコイル８０２により発生された磁界を検出する磁界検出器８０４と、を備えるケーブル位置測定装置８００が知られている。
【０００９】
このケーブル位置測定装置８００では、ケーブルの位置変動により磁界検出器８０４で検出される磁界が変化することを利用して、架橋筒５０３内におけるケーブルの位置を非接触で測定し、そのケーブルの位置をテンショニングキャプスタン５０４にフィードバックしている。
【先行技術文献】
【特許文献】
【００１０】
【特許文献１】実公平１−４２８９４号公報
【特許文献２】特開平２−１７４０２０号公報
【特許文献３】特開２０１２−１５１００３号公報
【発明の概要】
【発明が解決しようとする課題】
【００１１】
しかしながら、ケーブル位置測定装置６００では、アーム６０４がケーブルに接触しているため、その接触による損傷や偏肉をケーブルに与えてしまう虞がある。
【００１２】
また、ケーブル位置測定装置８００では、コイル８０２が巻き回される分割体８０１や磁界検出器８０４が取り付けられる分割体８０３が他の分割体から電気的に絶縁されている必要があるため、その電気的な絶縁を確保するためにゴム等の絶縁物を使用することになるものの、絶縁物は一般に劣化や破損を生じ易く、その交換作業が重労働となる。
【００１３】
そこで、本発明の目的は、架橋筒内におけるケーブルの位置を非接触で測定することができ、しかもメンテナンスが容易な架橋筒内のケーブル位置測定方法及びそのケーブル位置測定装置を提供することにある。
【課題を解決するための手段】
【００１４】
この目的を達成するために創案された本発明は、架橋筒内を通過するケーブルにレーザを照射して前記架橋筒内における前記ケーブルの位置を非接触で測定する架橋筒内のケーブル位置測定方法である。
【００１５】
前記レーザを照射するレーザ測定器と前記ケーブルとの間の距離を測定して前記架橋筒内における前記ケーブルの位置を非接触で測定すると良い。
【００１６】
また、本発明は、架橋筒に取り付けられた覗き窓と、前記覗き窓を通じて前記架橋筒内を通過するケーブルにレーザを照射して前記架橋筒内における前記ケーブルの位置を非接触で測定するレーザ測定器と、を備える架橋筒内のケーブル位置測定装置である。
【００１７】
前記レーザ測定器は、前記レーザ測定器と前記ケーブルとの間の距離を測定して前記架橋筒内における前記ケーブルの位置を非接触で測定すると良い。
【発明の効果】
【００１８】
本発明によれば、架橋筒内におけるケーブルの位置を非接触で測定することができ、しかもメンテナンスが容易な架橋筒内のケーブル位置測定方法及びそのケーブル位置測定装置を提供することができる。
【図面の簡単な説明】
【００１９】
【図１】本発明の実施の形態に係るケーブル位置測定装置を示す横断面図である。
【図２】図１のケーブル位置測定装置を示すＡ−Ａ線断面図である。
【図３】本発明の他の実施の形態に係るケーブル位置測定装置を示す横断面図である。
【図４】図３のケーブル位置測定装置を示すＢ−Ｂ線断面図である。
【図５】連続架橋方式により樹脂層を架橋する設備を示す概略図である。
【図６】従来技術に係るケーブル位置測定装置を示すＣ−Ｃ線断面図である。
【図７】従来技術に係るケーブル位置測定装置を示すＤ−Ｄ線断面図である。
【図８】従来技術に係るケーブル位置測定装置を示す横断面図である。
【発明を実施するための形態】
【００２０】
以下、本発明の好適な実施の形態を添付図面にしたがって説明する。
【００２１】
図１及び図２に示すように、本実施の形態に係る架橋筒内のケーブル位置測定方法は、架橋筒１０１内を通過するケーブルにレーザ１０２を照射して架橋筒１０１内におけるケーブルの位置を非接触で測定することを特徴とする。
【００２２】
この架橋筒内のケーブル位置測定方法を実現するためのケーブル位置測定装置１００は、架橋筒１０１に取り付けられた覗き窓１０３と、覗き窓１０３を通じて架橋筒１０１内を通過するケーブルにレーザ１０２を照射して架橋筒１０１内におけるケーブルの位置を非接触で測定するレーザ測定器１０４と、を備えている。
【００２３】
ケーブル位置測定装置１００は、樹脂層の架橋が未完の状態でケーブルが架橋筒１０１の内面に接触することを好適に防止するために、押出機から架橋後のケーブルが架橋筒１０１の底部を這う位置までの間の中間位置に配置されることが好ましい。
【００２４】
覗き窓１０３は、レーザ１０２に対して透明な材料からなり、ケーブル進行方向に対して直交する方向にレーザ１０２を照射することができるように、架橋筒１０１の水平方向の両側のそれぞれに１組のフランジ１０５，１０６を介して取り付けられている。
【００２５】
レーザ測定器１０４は、所定の幅を有するシート状のレーザ１０２や所定のピッチで配置された複数本のレーザ１０２を照射する照射部１０７と、照射部１０７から照射されたレーザ１０２を受光する受光部１０８と、を備えており、レーザ測定器固定フレーム１０９に固定されている。
【００２６】
例えば、照射部１０７は、アレイ状に配列された複数の発光素子（Vertical Cavity Surface Emitting Laser；ＶＣＳＥＬ）からなり、受光部１０８は、アレイ状に配列された複数の受光素子からなる。
【００２７】
この場合、複数の発光素子と複数の受光素子はそれぞれが１組ずつ関連付けられており、ある発光素子から照射されたレーザ１０２がその発光素子に関連付けられた受光素子により受光されるようになっている。
【００２８】
そのため、照射部１０７と受光部１０８との間を通過するケーブルがレーザ１０２を遮光したときに、複数の受光素子の出力をパソコン等を使用して既知の手法により解析することで、架橋筒１０１内におけるケーブルの位置を非接触で測定することができる。
【００２９】
その結果は、パソコン等を通じてテンショニングキャプスタンによる張力の調整に使用される。具体的には、ケーブルが架橋筒１０１の上部に近接した場合には、テンショニングキャプスタンの引取速度を遅くしてケーブルの張力を緩め、ケーブルが架橋筒１０１の底部に近接した場合には、テンショニングキャプスタンの引取速度を速くしてケーブルの張力を強める。
【００３０】
なお、架橋筒１０１内におけるケーブルの位置を正確に測定するためには、レーザ１０２の幅をケーブルの外径以上とし、複数本のレーザ１０２を使用する場合にはそのピッチを１０ｍｍ以下とすることが好ましい。
【００３１】
これまで説明してきたように、本実施の形態に係るケーブル位置測定装置１００によれば、本実施の形態に係る架橋筒内のケーブル位置測定方法を実現することができ、架橋筒内におけるケーブルの位置を非接触で測定することが可能となり、しかもゴム等の絶縁物のように劣化や破損が生じ易い部品を備えていないことからメンテナンスが容易となる。
【００３２】
次に、図３及び図４を参照して、本発明の他の実施の形態に係るケーブル位置測定装置３００について説明する。
【００３３】
ケーブル位置測定装置３００は、ケーブル位置測定装置１００と比較すると、覗き窓１０３が１つだけ設けられており、レーザ測定器１０４が片側にのみ設けられている点が相違している。
【００３４】
このレーザ測定器１０４は、例えば、ケーブルにレーザ１０２を照射してその反射光を受光することにより、レーザ測定器１０４とケーブルとの間の距離を測定して架橋筒１０１内におけるケーブルの位置を非接触で測定するものである。
【００３５】
このような構成のケーブル位置測定装置３００によれば、レーザ測定器１０４の照射部１０７と受光部１０８とが一体であり、これらの光軸合わせ等が省略でき、より簡単且つ低コストで架橋筒１０１内におけるケーブルの位置を非接触で測定することが可能となる。
【符号の説明】
【００３６】
１００，３００  ケーブル位置測定装置
１０１  架橋筒
１０２  レーザ
１０３  覗き窓
１０４  レーザ測定器
１０５  フランジ
１０６  フランジ
１０７  照射部
１０８  受光部
１０９  レーザ測定器固定フレーム
【図１】
2015115160.tif 000003
【図２】
2015115160.tif 000004
【図３】
2015115160.tif 000005
【図４】
2015115160.tif 000006
【図５】
2015115160.tif 000007
【図６】
2015115160.tif 000008
【図７】
2015115160.tif 000009
【図８】
2015115160.tif 000010